(57)【要約】【課題】  施工者の上下移動の利便性を高める工事フレームを提供すること。【解決手段】  複数の支持ロッド１０を有し、支持ロッド１０同士との間に連結ロッド１１と補強ロッド１２が設けられると共に、該連結ロッド１１に回転可能な活動床２０が設けられ、連結ロッド１１の間に回転可能な傾斜した活動階段３０が設けられる。【選択図】  図２
0003106505.tif 000002
【実用新案登録請求の範囲】
【請求項１】
複数の支持ロッドを有し、
支持ロッド同士との間に連結ロッドと補強ロッドが設けられると共に、該連結ロッドに回転可能の活動床が設けられ、
連結ロッドの間に回転可能な傾斜した活動階段が設けられることを特徴とする、
工事フレーム。
【請求項２】
前記活動床は平行配列の主ロッドを有し、該主ロッドの両端が引掛けロッドによって連結されると共に、該両端に連結ロッドに引掛ける引掛けフックが設けられ、主ロッドとの間に回転自在の床本体が設けられ、該床本体の一側に主ロッドに引掛ける引掛けプレートが設けられることを特徴とする、請求項１に記載の工事フレーム。
【請求項３】
前記活動階段は両端に連結ロッドが設けられる平行の支持ロッドを有し、上端の連結ロッドに固定の階段プレートが設けられ、支持ロッドの両端に連結ロッドに引掛ける引掛けフックが設けられ、支持ロッドの間に活動プレート組が設けられ、該活動プレート組は前記支持ロッドの内側に設けられる平行のロッドを有し、ロッドの間に複数の階段プレートが溶接され、前記一つのロッドが支持ロッドに枢設されると共に、他のロッドに支持ロッドに引掛けるため引掛けプレートが設けられることを特徴とする、請求項１又は２に記載の工事フレーム。
【考案の詳細な説明】
【技術分野】
【０００１】
本考案は、特に施工者の上下移動の利便性を高めるための工事フレーム（足場装置）に関するものである。
【背景技術】
【０００２】
図６に示すように、工事中の建物の外側に設けられる従来の工事フレームは複数の支持ロッド（５０）を有し、該支持ロッド（５０）の間に床（６０）が設けられると共に、支持ロッド（５０）の一側に梯子（５１）が設けられることにより、施工者は梯子（５１）に登って床（６０）で工事を行うことができるが、高所で工事を行う場合、梯子（５１）を登るのは危ないことであり、又、高所で梯子（５１）を使用することも非常に不便である
【０００３】
又、図７に示すように、従来の他の工事フレームは複数の支持ロッド（７０）を有し、該支持ロッド（７０）の間に床（７１）が設けられると共に、上下の床（７１）との間に傾斜の階段（７２）が設けられ、該階段（７２）の上に床が設置されないことにより、施工者は階段（７２）に登って各層の床（７１）で工事を行うことができる。
【考案の開示】
【考案が解決しようとする課題】
【０００４】
しかしながら、前記階段（７２）は傾斜して設けられるため、施工者は各層の床（７１）で工事を行う際、不注意で頭が階段（７２）を撞く恐れがあり、工事の危険を防ぐことができない。
【０００５】
又、台湾の実願第９１２１４６８７号の「活動式工事フレーム」には、上端の回転中心として下端を上方へ移動することができる傾斜した階段が開示されているが、この上下移動式の階段では使用の利便性が不足するため、改良が必要である。
【０００６】
そこで、創作されたのが本考案であって、施工者の上下移動の利便性を高める工事フレームを提供することを目的とする。
【課題を解決するための手段】
【０００７】
本願の第１の考案は、複数の支持ロッドを有し、支持ロッド同士との間に連結ロッドと補強ロッドが設けられると共に、該連結ロッドに回転可能の活動床が設けられ、連結ロッドの間に回転可能の傾斜の活動階段が設けられることを特徴とする工事フレーム及び、
本願の第２の考案は、前記活動床は平行配列の主ロッドを有し、該主ロッドの両端が引掛けロッドによって連結されると共に、該両端に連結ロッドに引掛ける引掛けフックが設けられ、主ロッドとの間に回転自在の床本体が設けられ、該床本体の一側に主ロッドに引掛ける引掛けプレートが設けられることを特徴とする第１の考案に記載の工事フレーム及び、
本願の第３の考案は、前記活動階段は両端に連結ロッドが設けられる平行の支持ロッドを有し、上端の連結ロッドに固定の階段プレートが設けられ、支持ロッドの両端に連結ロッドに引掛ける引掛けフックが設けられ、支持ロッドの間に活動プレート組が設けられ、該活動プレート組は前記支持ロッドの内側に設けられる平行のロッドを有し、ロッドの間に複数の階段プレートが溶接され、前記一つのロッドが支持ロッドに枢設されると共に、他のロッドに支持ロッドに引掛けるため引掛けプレートが設けられることを特徴とする第１又は第２の考案に記載の工事フレームを提供する。
【考案の効果】
【０００８】
本考案は上記の課題を解決するものであり、主ロッドに設けられる活動床と傾斜の支持ロッドに設けられる活動階段を自在に開閉することにより、施工者は工事フレームで工事を行う際に、邪魔のないように自由に移動することができて、使用の利便性を高めることができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記の実施例そのものに何ら限定されるものではない。
【００１０】
図１は本考案に係る工事フレームの斜視図であり、図２は本考案に係る工事フレームの使用状態を示す斜視図であり、図３は本考案に係る工事フレームの活動プレート組を回転する状態を示す側面図であり、図４は本考案に係る工事フレームの床本体を回転する状態を示す側面図であり、図５は本考案に係る工事フレームの使用状態を示す正面図である。
【００１１】
図１及び図５に示すように、本考案に係る工事フレームは複数の支持ロッド（１０）を有し、支持ロッド（１０）同士との間に連結ロッド（１１）と補強ロッド（１２）が設けられると共に、該連結ロッド（１１）に回転可能の活動床（２０）が設けられ、連結ロッド（１１）の間に傾斜の活動階段（３０）が設けられる。
【００１２】
図２に示すように、前記活動床（２０）は平行配列の主ロッド（２１）を有し、該主ロッド（２１）の両端が引掛けロッド（２２）によって連結されると共に、該両端に連結ロッド（１１）に引掛ける引掛けフック（２３）が設けられ、主ロッド（２１）との間に回転自在の床本体（２４）が設けられ、該床本体（２４）の一側に主ロッド（２１）に引掛ける引掛けプレート（２５）が設けられることにより、施工者は水平状態になる床本体（２４）に工事を行うことができる。
【００１３】
又、前記活動階段（３０）は両端に連結ロッド（３２）が設けられる平行の支持ロッド（３１）を有し、上端の連結ロッド（３２）に固定の階段プレート（３３２）が設けられ、支持ロッド（３１）の両端に連結ロッド（１１）に引掛ける引掛けフック（３５）が設けられ、支持ロッド（３１）の間に活動プレート組（３３）が設けられ、該活動プレート組（３３）は前記支持ロッド（３１）の内側に設けられる平行のロッド（３３１）を有し、ロッド（３３１）の間に複数の階段プレート（３３２）が溶接され、前記一つのロッド（３３１）が支持ロッド（３１）に枢設されると共に、他のロッド（３３１）に支持ロッド（３１）に引掛けるため引掛けプレート（３３３）が設けられることにより、活動プレート組（３３）が支持ロッド（３１）に対して回転することができる。
【００１４】
又、図２及び図３に示すように、施工者は活動階段（３０）の設置場所を通過する際、該活動階段（３０）の活動プレート組（３３）を支持ロッド（３１）の一側に回転することにより、邪魔のないように床本体（２４）で工事を行うことができる。
【００１５】
又、図４に示すように、施工者は別層へ移動しようとする場合、簡単に活動床（２０）の床本体（２４）を主ロッド（２１）の一側へ回転すると共に、活動階段（３０）の活動プレート組（３３）を平行の支持ロッド（３１）に引掛けることにより、邪魔のないように別層の床本体（２４）へ移動することができる。
【００１６】
本考案は上記の構成を有するので、主ロッドに設けられる活動床と傾斜の支持ロッドに設けられる活動階段を自在に開閉することにより、施工者は工事フレームで工事を行う際、邪魔のないように自由に移動することができ、使用の利便さを高めることができる。
【図面の簡単な説明】
【００１７】
【図１】本考案に係る工事フレームの斜視図である。
【図２】本考案に係る工事フレームの使用状態を示す斜視図である。
【図３】本考案に係る工事フレームの活動プレート組を回転する状態を示す側面図である。
【図４】本考案に係る工事フレームの床本体を回転する状態を示す側面図である。
【図５】本考案に係る工事フレームの使用状態を示す正面図である。
【図６】従来の工事フレームを示す斜視図である。
【図７】従来の他の工事フレームを示す正面図である。
【符号の説明】
【００１８】
１０        支持ロッド
１１        連結ロッド
１２        補強ロッド
２０        活動床
２１        主ロッド
２２        引掛けロッド
２３        引掛けフック
２４        床本体
２５        引掛けプレート
３０        活動階段
３１        支持ロッド
３２        連結ロッド
３３        活動プレート組
３３１      ロッド
３３２      階段プレート
３３３      引掛けプレート
３５        引掛けフック
５０        支持ロッド
５１        梯子
６０        床
７０        支持ロッド
７１        床
７２        階段
【図１】
0003106505.tif 000003
【図２】
0003106505.tif 000004
【図３】
0003106505.tif 000005
【図４】
0003106505.tif 000006
【図５】
0003106505.tif 000007
【図６】
0003106505.tif 000008
【図７】
0003106505.tif 000009